(57)【要約】      （修正有）【課題】伝送線コードを旋転ベース外部に巻回し、伝送線が絡んだり、作動不順になったりするのを防止し、効果的に伝送線の収納、及び、携帯の問題を解決する、伝送線コードを巻取り・収納するリールの改良構造を提供する。【解決手段】上蓋体１、旋転ベース５、巻取りばね６、伝送線コード７、及び下蓋体８、からなる。旋転ベース下方に、巻取りばねを設け且つ外部に、伝送線コードを巻回すると共に、旋転ベース頂面に、環状トラックを設ける。上蓋体下面にピック２を回動可能に設け、その先端に突起を設けて環形トラック内を嵌入移動可能とする。下蓋体中央に立設した螺孔柱の一側に設けたスロット８２に巻取りばね端部を固定し、旋転ベース、巻取りばね、及び、伝送線コードを下蓋体上に固定し、更に、上蓋体をねじで下蓋螺孔柱に結合してリール構造を形成する。【選択図】図１
0003107040.tif 000002
【実用新案登録請求の範囲】
【請求項１】
上蓋体、旋転ベース、巻取りばね、伝送線コード、及び下蓋体からなり、
前記旋転ベース中央に通孔を設け、その下方の凹部内に巻取りばねを収納し、且つその外部に伝送線コードを巻回すると共に、その頂面に環状トラックを設け、
前記上蓋体中央に、通孔を設け、下面には扇形凹部を形成し、前記扇形凹部要中央に、ピックを設け、前記ピックは、前記扇形凹部内を回動可能とし、且つ、前記ピック前端は突起を設け、前記ピック前端は上蓋体端に向かってある角度を湾設せしめると共に前記突起を前記環状トラック中で嵌入して移動可能とし、
前記下蓋体中央には螺孔柱を立設し、前記螺孔柱一側にスロットを設けて該スロットに前記巻取りばね一端を固定して、上下蓋体間に、前記旋転ベース、前記巻取りばね、及び前記伝送線コードを挟置し、更に、ねじを前記上蓋体の前記通孔を経て前記下蓋体の前記螺孔柱のネジ孔にネジ止め固定してなる、
ことを特徴とする伝送線コード巻取り・収納リール改良構造。
【請求項２】
前記伝送線コード両端は、USBコネクターであることを特徴とする請求項１に記載のリール改良構造。
【請求項３】
前記上蓋体上方に飾片を設置することを特徴とする請求項１に記載のリール改良構造。
【請求項４】
前記上下蓋体が結合する時、両側の凸柱、及び、凹孔が対応結合して、リール主体を形成することを特徴とする請求項１に記載のリール改良構造。
【請求項５】
前記リール構造は、データ保存機能を有する回路板を設けてなることを特徴とする請求項１に記載のリール改良構造。
【請求項６】
前記伝送線コードは、信号線を有するイヤフォンを設けてなることを特徴とする請求項１に記載のリール改良構造。
【請求項７】
前記回路板上に、USB接続孔を設置し、USBコネクターを嵌入連結して、データ伝送に用いることを特徴とする請求項５に記載のリール改良構造。
【考案の詳細な説明】
【技術分野】
【０００１】
本考案は、伝送線コードを巻取り・収納するリールの改良構造に関するものであって、特に、伝送線コードの好ましい定位、固定構造を有するリール構造に関するものである。
【背景技術】
【０００２】
科学・技術の発展に伴い、コンピュータとその周辺機器間でデータの相互伝送を行うために各種の電子製品が開発され、大量のデータをデータを相互に伝送できるUSB伝送線は、データを伝送する最適な道具であるが、コンピュータと周辺機器間を結ぶ多くのUSB伝送線を使用する結果、これらの収納・整理の便や絡まりやすいなどの問題を生じ、携帯時や、使用時に不便であるという問題がある。業者は、伝送線コードを巻取り・収納するリール構造を応用して、上述の問題を改善しようとしているが、公知のリールには、二つの大きな問題がある。一つは、公知のリールの定位機構は、ローラーを利用し、回転盤の導槽中で、移動及び定位して、リールの転動と定位の目的を達成している。ローラーは非常に小さいので、外部からの衝撃を受けて、導槽を脱離して、リールを損壊させる恐れがある。もう一つの問題は、公知のリールの下蓋体中央の螺孔柱は、通常、二つの半円柱を組み合わせてなり、中央部分はねじで鎖固され、側辺の欠落部に、巻取りばねを嵌入固定し、ねじが螺孔柱に鎖入される時、二つの半円柱は展開され、長期使用後、巻取りばねが欠落部を脱離し、リールを損壊する。よって、上述のような問題を改善する必要がある。
【特許文献１】特開平10-120310
【考案の開示】
【考案が解決しようとする課題】
【０００３】
上述の問題を改善するため、本考案は、伝送線コードを巻取り・収納するリールの改良構造を提供し、伝送線コードを旋転ベース外部に巻回し、伝送線が絡んだり、作動不順になったりするのを防止し、効果的に伝送線の収納、及び、携帯の問題を解決することを目的とする。
【０００４】
本考案は、伝送線コード巻取り・収納リールの改良構造を提供し、上蓋体下面に上下蓋体１、８両側の凸柱１３、８３、及び、凹孔１４、８４により対応結合後、を設置すると共に、扇形凹部中にピックを設け、ピック前端に突起を設け、ピック前端は、定位片端に向かって、ある角度を湾設し、突起は、環状トラック中に嵌入移動し、公知のリールにおける伝送線コード定位問題を解決することを、もう一つの目的とする。
【０００５】
本考案は、リールの改良構造を提供し、下蓋体中間に、螺孔柱を延伸し、螺孔柱一側にスロットを設置し、スロットは巻取りばね部に固定して、公知のリールのように、ねじで鎖固時に、巻取りばね端部が脱離して生じうる問題を回避することを、更なる目的とする。
【０００６】
本考案は、リールの改良構造を提供し、構造が簡単で、操作が容易、使用寿命が長い等の長所を備えさせることを、最後の目的とする。
【課題を解決するための手段】
【０００７】
上述の目的を達成するため、本考案は、リールの改良構造を提供し、上蓋体、旋転ベース、巻取りばね、伝送線コード、及び、下蓋体、からなる。旋転ベース下方に、巻取りばねを定位設置し、且つ、外部に、伝送線コードを繞設すると共に、旋転ベース頂面に、環状トラックを設置する。上蓋体下面には扇形凹部を設け、扇形凹部内に回動可能にピックを設け、ピック先端には突起を設けて、前記突起が環形トラック中に嵌入して移動可能とする。下蓋体中央に、螺孔柱を延伸し、螺孔柱一側にスロットを設置し、スロットは、巻取りばね端部を固定して、ねじで螺孔柱に鎖固して、旋転ベース、巻取りばね、及び、伝送線コードが、下蓋体上に固定され、更に、上蓋体と結合されてリール構造を形成する。
【考案の効果】
【０００８】
本考案のリール改良構造は、リールの功能を増加し、効果的に、伝送線を収納して、伝送線が絡まる問題を解決すると同時に、携帯時の不便さを改善する。また、公知のリールの操作不当で損壊が生じる問題を解決する。更に、構造が簡単で、操作が容易、使用寿命が長い、という長所を有する。
【考案を実施するための最良の形態】
【０００９】
図１、図２は、リール改良構造の分解図、及び、立体図であり、図から分かるように、本考案のリール構造１００は、上蓋体１、旋転ベース５、巻取りばね６、伝送線コード７、及び、下蓋体８、からなる。旋転ベース５は中央に通孔５１を有し、下方の凹部には巻取りばね６を収納し、且つ、外部に伝送線コード７を巻回する。伝送線コード７両端は、USBコネクター７１で、旋転ベース５頂面に、環状トラック５２を設置する。上蓋体１中央には通孔１１を有し、上方に飾片４を設置すると共に、下面には、扇形凹部１２を有し、扇形凹部１２中央にピック２を設け、ピック２は、扇形凹部１２内を回動可能として、その先端を上蓋体１端に向かってある角度で湾設させてあり、その先端に形成した突起２１は、環状トラック５２内に嵌入し、安定して移動する。下蓋体８中央に、螺孔柱８１を立設し、螺孔柱８１一側に、スロット８２を設ける。
スロット８２に、巻取りばね６端部を固定して、上下蓋体１、８間に、旋転ベース５、巻取りばね６、及び伝送線コード７をセットし、上下蓋体１、８両側を凸柱１３、８３、及び凹孔１４、８４により対応結合後、更に、ねじ３により、上蓋体１の通孔１１を下蓋体８の螺孔柱８１に鎖入して、リール構造を形成する。
【００１０】
図３〜図１２は、リールの改良定位構造、及び、環状トラックの作動情況を示す図で、図から分かるように、上蓋下面の扇形凹部１２と旋転ベースの環状トラック５２を固定する時、ピック２前端に形成された突起２１は、環状トラック５２中に嵌入される。使用者が伝送線をリールから上に引き出す時、環状トラック５２もそれに伴って転動し、突起２１も帯動して扇形凹部１２中でシフトすると共に、ピック２も回動し、図３〜図１２で示されるように、ピック２と環状トラック５２の相対位置は、順に、０度、１８０度、２７０度、３３０度、３６０度、４５０度、３６２．２度（始めに係止する位置）、４５０度、そして、最後まで転動する。ここから分かるように、上述のような構造設計により、突起２１は、環状トラック５２中で、非常に安定して嵌入移動し、定位して、公知のリールの定位問題を解決する。
【００１１】
図１３は、リール改良構造の断面図である。図から分かるように、本考案のリール構造１００は、伝送線コード７を引き出す時、二つのUSBコネクター７１を外に引っ張り出すだけで、旋転ベース５を転動させることができると同時に、巻取りばねを圧縮して、伝送線コード７は、突起が環形トラックの定位置に進入して固定されるまで、全部引き出される。これにより、使用者は、伝送線コード７を円滑に、引き出すことができる。本考案のリール１００が伝送線コード７を収納する時、突起を環形トラックの定位置から脱離させ、巻取りばねの回復力により、伝送線７を旋転ベース５の外部隔層に回収すれば、使用者は、伝送線コード７の収納を円滑に終了させることができる。
【００１２】
本考案のリール構造は、データ保存功能を有する回路板を増設し、伝送線コード一端に、イヤフォンを設置し、使用者は音楽を聴くことができる。上述の実施方式により、アクセス装置を有するリール構造を形成する。
【００１３】
本考案のリール構造は、データ保存機能を有する回路板を増設すると共に、回路板上に、USB連接孔を設置して、USBコネクターを嵌入連結し、データの伝送に用いられる。伝送線コードは、イヤフォンにして、音楽を聴くことができる。上述の実施方式により、アクセス装置を有するリール構造を形成する。
【００１４】
本考案の新規性と実用性を更に明確にするため、公知のリールと比較した。
公知技術の欠点：
１．公知の伝送線は、収納が容易でなく、使用者は外出携帯時に不便である。
２．公知の伝送線は、通常、一定の長さを有するので、使用後の収納が不便である。    
３．公知の伝送線は、収納が不便であるため、絡まりやすく、解く時間を必要とする    。
４．公知のリールは、構造設計が好ましくないので、製品を損壊させる。
本考案の長所：
１．本考案のリール改良構造は、回路板を増設し、アクセス装置、及び、伝送線コー    ドを一体に設置し、リールの功能を増加する。
２．本考案のリール改良構造は、効果的に、伝送線を収納し、伝送線が絡まる問題を    解決すると同時に、携帯時の不便さが改善される。
３．本考案のリール改良構造は、構造設計により、効果的に、公知のリールの操作不    当で損壊が生じる問題を解決する。
４．本考案のリール改良構造は、構造が簡単で、操作が容易、使用寿命が長い。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】本考案のリール改良構造の分解図である。
【図２】本考案のリール改良構造の立体図である。
【図３】本考案のリールの上蓋裏面側を示す図である。
【図４】本考案のリール旋転ベースの環状トラックとピックの相対的位置関係０度を示す図である。
【図５】本考案のリール旋転ベースの環状トラックとピックの相対的位置関係１８０度を示す図である。
【図６】本考案のリール旋転ベースの環状トラックとピックの相対的位置関係２７０度を示す図である。
【図７】本考案のリール旋転ベースの環状トラックとピックの相対的位置関係３３０度を示す図である。
【図８】本考案のリール旋転ベースの環状トラックとピックの相対的位置関係３６０度を示す図である。
【図９】本考案のリール旋転ベースの環状トラックとピックの相対的位置関係４５０度を示す図である。
【図１０】本考案のリール旋転ベースの環状トラックとピックの相対的位置関係３６２．２度を示す図である。
【図１１】本考案のリール旋転ベースの環状トラックとピックの相対的位置関係４５０度を示す図である。
【図１２】本考案のリール旋転ベースの環状トラックとピックの相対的位置関係最後の転動関係位置を示す図である。
【図１３】リール改良構造の断面図である。
【符号の説明】
【００１７】
１００…リール構造
１…上蓋体
１１…通孔
１２…扇形凹部
１３…凸柱
１４…凹孔
２…ピック
２１…突起
３…ねじ
４…飾片
５…旋転ベース
５１…通孔
５２…環状トラック
６…巻取りばね
７…伝送線コード
７１…USBコネクター
８…下蓋体
８１…螺孔柱
８２…スロット
８３…凸柱
８４…凹孔
【図１】
0003107040.tif 000003
【図２】
0003107040.tif 000004
【図３】
0003107040.tif 000005
【図４】
0003107040.tif 000006
【図５】
0003107040.tif 000007
【図６】
0003107040.tif 000008
【図７】
0003107040.tif 000009
【図８】
0003107040.tif 000010
【図９】
0003107040.tif 000011
【図１０】
0003107040.tif 000012
【図１１】
0003107040.tif 000013
【図１２】
0003107040.tif 000014
【図１３】
0003107040.tif 000015